(57)【要約】【課題】立ち乗り式や椅子式等といった種類の変更について、安全性を損うことなく簡単に、また無駄の少ない状態で実行する。【解決手段】階段昇降機１において、レール２に沿って昇降するベース４を設けるとともに、ベース４に対して脱着自在であり、足乗せ台７１を備えるフレーム８と、ベース４に対して脱着自在であるシートとを用意し、ベース４にフレーム８またはシートを取付ける。【選択図】  図１
2004256196.tif 000002
【特許請求の範囲】
【請求項１】
レールに沿って昇降するベースを設けるとともに、
ベースに対して脱着自在であり、足乗せ台またはシートを備えるマウント部を、複数種類用意し、
ベースに任意の種類のマウント部を取付ける
ことを特徴とする階段昇降機。
【請求項２】
マウント部の一種として、
立ち乗りのための足乗せ台と、
足乗せ台の上方空間の周りに設けられるガードバーと、
ガードバーに接続され、立ち乗り時に干渉しないように足乗せ台の上方位置から変位された位置にある簡易シートと
を備えるフレームを含む
ことを特徴とする請求項１に記載の階段昇降機。
【請求項３】
マウント部の一種として、手摺を備えたシートを含むことを特徴とする請求項１または請求項２に記載の階段昇降機。
【請求項４】
マウント部とベースとを、円弧状の長孔を介して取付け、
ベースに対するマウント部の角度を調整可能とした
ことを特徴とする請求項１ないし請求項３のいずれかに記載の階段昇降機。
【発明の詳細な説明】
【０００１】
【発明の属する技術分野】
本発明は、屋外や屋内における階段に設置される階段昇降機に関する。
【０００２】
【従来の技術】
階段昇降機として、下記特許文献１に開示されるような、立ち乗り式のものが知られている。立ち乗り式の階段昇降機にあっては、階段の両側にレールが設置され、２本のレールに昇降ステージがまたがっており、昇降ステージには、手摺を有するフレームが立っている。
【０００３】
【特許文献１】
特開平１１−６０１０９号公報
【０００４】
【発明が解決しようとする課題】
立ち乗り式の階段昇降機を椅子式に変更しようとする場合に、昇降ステージに椅子を設置しようとすると、手間が掛るし、安全性の確保も容易ではない。また、昇降ステージごと交換すると、レールとの関係において十分な再調整が必要となるし、昇降ステージが無駄になってしまう。
【０００５】
そこで、請求項１に記載の発明は、立ち乗り式や椅子式といった種類の変更について、安全性を損うことなく簡単に、また無駄の少ない状態で実行できる階段昇降機を提供することを目的としたものである。
【０００６】
【課題を解決するための手段】
上記目的を達成するために、請求項１に記載の発明は、レールに沿って昇降するベースを設けるとともに、ベースに対して脱着自在であり、足乗せ台またはシートを備えるマウント部を、複数種類用意し、ベースに任意の種類のマウント部を取付けることを特徴とするものである。
【０００７】
また、上記目的に加えて、安全面に配慮がありながら使い勝手に優れる種類の階段昇降機を変更の対象とできるようにする目的を達成するために、請求項２に記載の発明は、上記発明において、マウント部の一種として、立ち乗りのための足乗せ台と、足乗せ台の上方空間の周りに設けられるガードバーと、ガードバーに接続され、立ち乗り時に干渉しないように足乗せ台の上方位置から変位された位置にある簡易シートとを備えるフレームを含むことを特徴とするものである。
【０００８】
更に、上記目的に加えて、完全に座って利用する椅子式の階段昇降機にも変更できるようにする目的を達成するために、請求項３に記載の発明は、上記発明において、マウント部の一種として、手摺を備えたシートを含むことを特徴とするものである。
【０００９】
加えて、上記目的に加えて、レールやベースの角度が異なる場合でもマウント部を正しい姿勢で取付ける目的を達成するために、請求項４に記載の発明は、上記発明において、マウント部とベースとを、円弧状の長孔を介して取付け、ベースに対するマウント部の角度を調整可能としたことを特徴とするものである。
【００１０】
【発明の実施の形態】
以下、本発明の実施の形態に係る階段昇降機につき、図面に基づいて説明する。図１は階段昇降機１の正面説明図、図２は階段昇降機１の背面説明図、図３は階段昇降機１の右側面説明図であって、階段昇降機１は、階段Ｓに渡すレール２と、レール２に沿って走行するベース４と、ベース４上に取付けられたマウント部としてのフレーム８とを備えている。
【００１１】
レール２には、図示しないチェーンが設けられている。チェーンは、各端がレール２の各端に固定されており、一部がベース４の内部に取込まれている。ベース４の内部には、チェーンに噛む図示しないギアと、このギアを回す図示しないモータとが設けられている。各ギアがモータにより対応する方向に回転してチェーンを辿ることで、ベース４ないしフレーム８が上昇し、または下降する。なお、ベース４の下側には、チェーンが通る孔１０が空けられている。
【００１２】
また、ベース４の機枠１２の正面側には、ボルト１４を固定するためのボルト孔１６が空けられている。なお、ボルト１４は４本であり、ボルト孔１６は４個である。また、ボルト孔１６は、３個が縦の直線上に配置され、１個がこれらの右側に配置されている。
【００１３】
更に、機枠１２の背面側上部には、ボルト１８を固定するためのボルト孔２０が空けられている。
【００１４】
一方、フレーム８は、最外部において、利用者（ここでは大人）Ｈの立ち乗り時における胸から下の部分より一回り大きい程度のサイズを有するものであって、各種バー２２〜３９がジョイント４０〜４３等により接続されてなるものである。
【００１５】
なお、上部にはガードバー２２が配置される。ガードバー２２は、Ｕ字状であり、各端部が背面側に配置され、各端部直下のバー２３と軸支部４４において接続されている。即ち、ガードバー２２は、フレーム８において、回転可能とされている。また、ガードバー２２の各端部の周囲には、当該端部に沿って動く可動パイプ４５が設けられている。
【００１６】
ガードバー２２は、図１ないし図３に示す状態から背面側へ回転させて起すことができる。また、ガードバー２２を直下のバー２３に沿うまで起して、可動パイプ４５を直下のバー２３まで下げ、可動パイプ４５がガードバー２２と直下のバー２３とにまたがるようにすれば、ガードバー２２が垂直状態に保持され、ガードバー２２を収納することができる。更に、ガードバー２２の各端部手前には、手持パッド４６が固定されている。また、図示の状態（使用時）において、ガードバー２２は、バー２３正面側のバー２７上部に設けられた受け部４９に入っている。ガードバー２２は、受け部４９に入ると、ほぼ水平な状態となる。
【００１７】
利用者Ｈは、収納したガードバー２２を、可動パイプ４５を持ち上げて軸支部４４を露出させ手前に回転することにより降ろし、くぐることで、使用時において自らの周りにガードバー２２を位置させることができる。即ち、ガードバー２２は、利用者Ｈの周り（階下側から階上側の三方にかけて）に対し進退可能である。なお、ガードバー２２が、使用状態（ほぼ水平な状態）において利用者Ｈの脇下の高さとなるように、バー２３，２４等の長さが調整されている。利用者Ｈが開いたガードバー２２の手持パッド４６を持つと肘を左右に張る状態となり、ガードバー２２が脇下を支えるようになるため、安全性が向上する。
【００１８】
また、図２における右側のバー２４，２５には、サイドガードバー２６が軸支されている。サイドガードバー２６は、階段昇降機１に利用者Ｈ等が乗った場合に階下側に回転移動させる一方、不使用時（収納時）に背面側に回転移動させることが可能である。なお、サイドガードバー２６は、使用時に、利用者Ｈの近傍においてレール２と直交する姿勢となり、収納時にレール２に沿った姿勢となる。
【００１９】
更に、サイドガードバー２６の近傍に、横長のベルト４７が配置されている。ベルト４７は、バー２４とその向いのバー２４とに巻付けられている。サイドガードバー２６は下側のジョイント４１，４２によって位置決めされており、ベルト４７は中間のジョイント４１，４２によって位置決めされている。
【００２０】
加えて、左側のバー２３に対する正面側のバー２７と、バー２３，２７を結ぶ正背面方向のバー２８とに、傘Ｐの柄Ｇ等を挟む支持部材４８，４８が設けられている。
【００２１】
そして、フレーム８の下部正面側に配置された横方向のバー３４に、化粧パネル６０を有する取付パネル６２の上辺部が接続されている。取付パネル６２の化粧パネル６０内側には、ボルト孔１６と同様な配置であり、中央のボルト孔１６を除きこれを中心とした円弧状である３個の長孔６３，６３・・および中央のボルト孔１６に対応する孔６３ａが空けられている。また、取付パネル６２の上辺には、正背面方向においてベース４より若干大きい簡易シート６４の下部正面側が固定されている。更に、簡易シート６４の下部背面側には、円弧状の長孔を含む切込６６を下部に有する取付板６８が固定されている。
【００２２】
取付パネル６２の背面上部において、下部正面側に配置された横長のバー３４が、取付筒６９等を介して接続されている。また、取付板６８の背面上部において、下部背面側に配置された横長のバー３６が、取付筒７０，７０を介して接続されている。
【００２３】
簡易シート６４ならびに取付パネル６２および取付板６８は、ベース４の上部に近接した状態で配置可能であり、この場合に、ボルト孔１６，１６・・と長孔６３または孔６３ａが合致し、ボルト１４により取付パネル６２を固定可能である。またこの場合に、ボルト孔２０が切込６６と合致し、ボルト１８により取付板６８を固定可能である。従って、階段昇降機１において、ベース４に対しフレーム８が脱着自在となっている。
【００２４】
なお、べース４側のボルト孔１６に対し、フレーム８側が長孔６３となっているため、ベース４に対するフレーム８の取付角度を調整することができ、ベース４の傾きがレール２の傾きに応じて調整されていても、フレーム８の傾きを、例えば簡易シート６４が水平になる傾きとなるように、適正なものとすることができる。
【００２５】
また、取付パネル６２の正面側下部には、大人の両足裏が乗る程度のサイズである足乗せ台７１が軸支されている。足乗せ台７１は、使用しない時にほぼ垂直な取付パネル６２に沿った状態に畳んだり、使用時にほぼ水平状態まで開き、大人の体重を支えたりすることが可能である。なお、足乗せ台７１が取付パネル６２の正面側に設けられる一方、簡易シート６４が取付パネル６２の背面側に設けられるため、簡易シート６４は足乗せ台７１の上方位置から変位された位置になっている。
【００２６】
フレーム８は、足乗せ台７１に加えて簡易シート６４を備えることで、立ち乗りおよび座り乗りの双方を可能としている（立ち乗りを主とするハイブリッド式）。従って、立ち乗りの場合における非常時に座り乗りに変更することができる。また、簡易シート６４または足乗せ台７１を備えることで、灯油タンクＴ等の荷物を、適宜ベルト４７で固定しつつ簡易シート６４または足乗せ台７１上に置いて昇降させることができる。また、足乗せ台７１に加えて簡易シート６４を備えることで、荷物乗せと立ち乗りとを並行することができ、配置が互いにずらされているので干渉を気にすることなく自然な並行が行える。なお、ガードバー２２は、使用時に降ろされているので、足乗せ台７１の上方空間の周りを囲むようほぼ水平に配置されているし、サイドガードバー２６も、使用時に足乗せ台７１の上方空間の周り（階下側）に位置している。
【００２７】
一方、図４に示すように、フレーム８を取外し、ベース４に、別種のマウント部としてのシート８０を取付けることもできる。シート８０は、両側に手摺８１，８１を備えている。また、シート８０は、下部に、化粧パネル８２、長孔８３，８３・・、孔８３ａを有する取付パネル８４と、取付板６８と同様になる図示しない取付板と、取付パネル８４および背面側の図示しない取付板を接続する図示しない接続アームとを備えている。
【００２８】
接続アームは、正背面方向において、ベース４と同様な長さを有し、接続アームならびに取付パネル８４および取付板は、ベース４の上部に近接した状態で配置可能である。そしてこの場合に、ボルト孔１６と長孔８３が合致し、ボルト１４により取付パネル８４を固定可能である。またこの場合に、ボルト孔２０が取付板の切込と合致し、ボルト１８により取付板６８を固定可能である。従って、階段昇降機１において、ベース４に対しシート８０が脱着自在となっている。
【００２９】
なお、シート８０も、足乗せ台７１と同様な足乗せ台９０を、取付パネル８４において備えている。また、シート８０における接続アームから上方の部分は、接続アームに対して左右に回転可能に軸支されており、階段Ｓの上下において階段Ｓに沿った方向からほぼ垂直な搭乗方向まで回転できるようになっている。当該回転は、ロックレバー９２によりロック可能となっている。
【００３０】
以上のようになる階段昇降機１では、次に示すような効果を奏する。
【００３１】
即ち、階段昇降機１において、レール２に沿って昇降するベース４を設けるとともに、ベース４に対して脱着自在であり、足乗せ台７１を備えるフレーム８と、ベース４に対して脱着自在であるシート８０とを用意し、ベース４にフレーム８またはシート８０を取付けることで、様々な種類に係るものを形成可能としたため、昇降機能に係るレール２とベース４とはそのままに、ハイブリッド式と椅子式とに係る種類を変更することができ、安全性を損うことなく当該変更を行うことができる。また、フレーム８またはシート８０を脱着するだけで種類を変更することができ、種類変更が簡単である。更に、変更後における取外したフレーム８またはシート８０は、レール２やベース４を含まず、廃棄するにしても対象部分を少なくできるし、再利用のため保存するにしても場所をとらないため、無駄が少ない。なお、階段昇降機１では、フレーム８またはシート８０の脱着を、ボルト１４，１８の開閉という形で簡単に実現している。
【００３２】
また、マウント部の一種として、立ち乗りのための足乗せ台７１と、足乗せ台７１の上方空間の周りに設けられるガードバー２２，２６と、ガードバー２２，２６に接続され、立ち乗り時に干渉しないように足乗せ台７１の上方からずらされた簡易シート６４とを備えるフレーム８を含むため、安全面に配慮がありながら使い勝手に優れたハイブリッド式の階段昇降機１を、無駄の少ない状態で簡単に提供することができ、立ち乗り式が不要になった場合にも他の種類の階段昇降機１をすぐに提供することができる。
【００３３】
更に、マウント部の一種として、手摺８１，８１を備えたシート８０を含むため、完全に座って利用する椅子式の階段昇降機１を提供することができ、椅子式が不要になった場合の対応も可能となっている。
【００３４】
加えて、フレーム８またはシート８０とベース４とを、円弧状の長孔６３または切込６６を介して取付け、ベース４に対するフレーム８またはシート８０の角度を調整可能としたため、様々な勾配の階段Ｓに設置したレール２におけるベース４に対し、フレーム８またはシート８０を適正な姿勢で取付けることができる。
【００３５】
なお、主に上記形態を変更してなる、本発明の他の形態を例示する。
【００３６】
フレームにおいて簡易シートやバーを省いたり、シートにおいて手摺や足乗せ台を省いたりする。またはこれらのような構成を有するマウント部を別に用意する。マウント部の取付について、ボルトの数を変更したり、ボルト孔の配置を変更したり、全てのボルト孔について長孔を配置したり、ベース側に長孔を配置したり、双方に長孔を配置したり、長孔を省略したり、ベースの孔に進入可能な突起をマウント部に配置して嵌め込み式にする等他の取付方式を採用したりする。
【００３７】
フレームのガードバーを、上部のものまたはサイドガードバーのみとする。フレームを、板状体にガードバーと同様の板を取付けたものにする。バーやジョイントの形状、数、配置を他の様々なものにする。バーと取付パネルとの接続方式を溶接などに変更する。取付パネルにおいて化粧パネルを省略する。取付パネルと取付板の代りに逆Ｕ字状の部材を配置し、ベースに固定されるようにする。ベースの左右あるいはある一面においてマウント部が固定されるようにする。簡易シートと足乗せ台とを左右に並べる。シートに傘の支持部材やベルト等を設ける。
【００３８】
また、本発明の趣旨を逸脱しない範囲において、上記以外の様々な変更を施すことができる。
【００３９】
【発明の効果】
本発明によれば、昇降ベースにマウント部を着脱するように構成したので、立ち乗り式や椅子式等といった種類の変更について、安全性を損うことなく簡単に、また無駄の少ない状態で実行することができる、という効果を奏する。
【図面の簡単な説明】
【図１】本発明に係る階段昇降機の正面説明図である。
【図２】本発明に係る階段昇降機の背面説明図である。
【図３】本発明に係る階段昇降機の右側面説明図である。
【図４】本発明に係る階段昇降機においてマウント部をシートに変更した場合の正面説明図である。
【符号の説明】
１・・階段昇降機、２・・レール、４・・ベース、８・・フレーム、１４，１８・・ボルト、１６，２０・・ボルト孔、６２，８４・・取付パネル、６３・・長孔、６３ａ，８３ａ・・孔、６４・・簡易シート、６６・・切込（長孔）、６８・・取付板、６９，７０・・取付筒、７１，９０・・足乗せ台、８０・・シート、８１・・手摺。
【図１】
2004256196.tif 000003
【図２】
2004256196.tif 000004
【図３】
2004256196.tif 000005
【図４】
2004256196.tif 000006